(57)【要約】【課題】  手指が薬液で汚れることがなく、医療従事者が任意の位置にて持つことが容易にできる使い勝手のよい綿棒包装体を、安価に提供する。【解決手段】  軸１２の一端に液体を含浸した綿球部１１を備えた綿棒１０を、周囲がシールされた袋体２０に収納した綿棒包装体１において、前記袋体２０の両側長手方向シール部２１全長に連続的に開封用の対をなす切込２２を設ける。また、綿球部１１よりも綿球部１１と反対側軸端側にある綿球部近傍位置に、軸１２の両際から前記袋体２０の両側長手方向シール部２１に至る綿棒１０の引き抜きにより剥離される弱ヒートシール部２３を備える。【選択図】  図５
2006115976.tif 000002
【特許請求の範囲】
【請求項１】
軸の一端に液体が含浸された綿球部を備えた綿棒が、周囲がシールされた袋体に収納された綿棒包装体であって、
前記綿球部よりも綿球部と反対側軸端側にある綿球部近傍位置において、軸の両際から袋体の両側長手方向シール部に至る綿棒の引き抜きにより剥離される弱ヒートシール部を備えたことを特徴とする綿棒包装体。
【請求項２】
軸の一端に液体が含浸された綿球部を備えた綿棒が、周囲がシールされた袋体に収納された綿棒包装体であって、
袋体の両側長手方向シール部において、前記綿球部の当該綿球部と反対側軸端側近傍に対応する位置よりも前記綿球部と反対側軸端側に、少なくとも一の開封用の対をなす切込を備えるとともに、当該袋体の切込位置よりも前記綿球部側において、軸の両際から前記袋体の両側長手方向シール部に至る綿棒の引き抜きにより剥離される弱ヒートシール部を備えたことを特徴とする綿棒包装体。
【請求項３】
軸の一端に液体が含浸された綿球部を備えた綿棒が、周囲がシールされた袋体に収納された綿棒包装体であって、
袋体の両側長手方向シール部全長に開封用の対をなす切込を連続的に備えるとともに、綿球部よりも当該綿球部と反対側軸端側にある綿球部近傍位置において、軸の両際から前記袋体の両側長手方向シール部に至る綿棒の引き抜きにより剥離される弱ヒートシール部を備えたことを特徴とする綿棒包装体。
【請求項４】
軸の一端に液体が含浸された綿球部を備えた綿棒が、周囲がシールされた袋体に収納された綿棒包装体であって、
袋体の両側長手方向シール部において、少なくとも前記綿球部よりも綿球部と反対側軸端側にある綿球部近傍に対応する位置と、前記綿球部と反対側軸端近傍に対応する位置との間に、開封用の対をなす切込を連続的に備えたことを特徴とする綿棒包装体。
【請求項５】
軸の一端に液体が含浸された綿球部を備えた綿棒が、周囲がシールされた袋体に収納された綿棒包装体であって、
袋体の両側長手方向シール部全長に開封用の対をなす切込を連続的に備えたことを特徴とする綿棒包装体。
【請求項６】
前記袋体の綿球部のない軸端側短手方向シール部に、少なくとも１以上の開封用の切込を備えたことを特徴とする請求項４または５のいずれかに記載の綿棒包装体。
【発明の詳細な説明】
【技術分野】
【０００１】
本発明は綿棒包装体に関する。具体的には、薬液を含浸させた綿棒が収納された包装体に関する。
【背景技術】
【０００２】
近年、薬液を含浸させた綿棒が数多く提案されている。例えば、実用新案登録第２５５７９４１号公報（特許文献１）には、軸の片端に備えられた綿球部に薬液が含浸されたウェット綿棒が複数本、袋体に密封され、該袋体の長手方向シール部の前記綿球部の反対側軸端近傍位置に、開封用の切込が設けられた包装体が開示されている。また、実開昭６３−１３００５６号公報（特許文献２）には、軸の両側に備えられた綿球部に薬液が含浸されたウェット綿棒が袋体に個別包装され、該袋体の両側短手方向シール部それぞれに、開封用の切込が複数ほぼ等間隔に設けられた包装体が開示されている。これらの包装体においては、前記切込から、例えば前者の包装体であれば包装体の短手方向に切り開き、後者の包装体であれば包装体の長手方向に開封し、軸端をつかんで綿棒を取り出すことができる。
【０００３】
ところが、このような包装体では、含浸された薬液が運搬、保管中に綿球部から滲み出て軸が薬液で濡れてしまう場合があった。その結果、薬液で濡れた軸をつかまなければならず使用感が悪くなり、また、例えばポビドンヨードを含浸させた綿棒であれば手指が着色したり、被服等が汚れたりする、あるいはその粘性のために手指がべとつくなどの問題点を生じていた。
【０００４】
一方、このような問題点のない綿棒包装体として、例えば、薬液と綿球部とを分離して包装体を構成したものが、特開２００４−１７８４号公報（特許文献３）や特開２００３−２２１０７４号公報（特許文献４）に開示されている。また、特開平１１−４７１９１号公報（特許文献５）や特開２０００−２３７２３５号公報（特許文献６）には、ほぼ綿球部だけを包み込み軸の大部分を袋体から突出させた状態で綿球部の周囲がシールされた綿棒包装体が開示されている。
【０００５】
しかしながら、特許文献３や４に記載の綿棒包装体では包装コストが高く、綿棒１本当たりの単価が高額になるという問題点があった。また、特許文献５や６に記載の綿棒包装体では、特許文献３や４の綿棒包装体に比べると比較的包装コストが安価になるが、軸周囲のシール部分からの液漏れを完全に防ぐ必要があり、技術的な困難性を伴うものであった。
【０００６】
さらに、特開２００２−３１５７７９号公報（特許文献７）には軸の両端部に薬液が含浸された綿球部を備えた綿棒が袋体に納められ、ほぼ軸の長手方向中央位置に開封用のミシン目状ガイド部を設けた綿棒包装体が開示されている。この包装体では、このガイド部を裂き袋体の半分を取り除けば、一方の綿球部が取り出され、他方の綿球部は開封した残り半分の袋体に残されることになる。このような包装体を利用すれば、薬液で濡れた軸に指が触れることなく使用することができる。
【０００７】
しかしながら、多くの医療機関では、軸の片側にのみ綿球部を備えた綿棒がもっぱら使用され、また、その軸長も、家庭等で使用される両端に綿球部を備えた綿棒よりも長いものが用いられている。具体的には、家庭で使用されるものを目的としている場合には、全長（綿球部を含めた長さ）は通常８ｃｍ程度であるが、医療機関で用いられる綿棒には概ね８ｃｍ以上、通常１２〜１３ｃｍ程度（場合によってはそれよりも長いこともある。）の軸が使用されている。このような長軸を有する綿棒では、塗布する箇所（患部）によって手に持つ位置を変え、例えば綿球部に極めて近い位置を持ちたい場合がある。
【０００８】
ところが、特許文献７に記載の包装体では、目印となるミシン目状のガイド部が設けられた位置でしか開封できず、使用者は使用方法に適した所望する位置では開封することができない。また、この包装体では開封後には軸の半分が袋体に残ることになるので、軸を濡らした薬液に触れることなく軸を短く持つこともできない。そして、軸を濡らした薬液に触れることなく軸を長くした状態で使用しようとすれば、袋体をガイド部から切り離して、切り離された袋体を完全に取り去ることなく該袋体上から軸をつまみ、そして、残る袋体から綿棒を少し引き出してから、綿棒をつかみ直して不要な袋体部分を取り除くことをしなければならなかった。このように、当該包装体は、綿球部の近傍を持つにはかなり不便なものであって、このような綿棒包装体を長軸の綿棒に適用した場合にはさらに使い勝手が悪くなるのは避けられなかった。さらに、このようなミシン目状のカット部を数多く設けると、使用時に多数の箇所で袋体が裂ける可能性を否定しえず、却って使い勝手の悪いものとなってしまう。そして、袋体の強度が低下する危険を否定できなかった。
【０００９】
もっとも、特許文献１の包装体では、綿球部のない軸端をつかんで取り出すので、軸を短くして持ちたい場合には、袋体から取り出す際に、薬液で濡れた軸を短く持ち変えるしか方法はなかった。そして、長軸の綿棒の場合には、包装作業上、軸よりも長い袋体を用いる場合があるが、この場合には、運搬や保管中に綿棒が軸方向に動いてしまい、開封時に切込から開封できるよう綿棒を軸方向に動かさなければならない場合もあった。
【００１０】
また、特許文献２の包装体では、長手方向に包袋を切り裂けば、軸を短くして綿球部の近くで綿棒を持つことも可能であるが、薬液で濡れた綿棒を持つことに変わりはなく、ましてや、短手方向シール部に備えた切込から綿球部近傍の持ちたい箇所まで、袋体を長手方向に切り裂くことは困難であった。なお、長手方向に切り裂くことを容易にした包装資材や、長手方向シール部の任意の位置で開封できる包装資材もあり、これらの包装資材を用いれば、所望する位置で任意に開封することができるが、このような包装資材はかなり高価であり、このような包装資材を用いたのでは到底採算が取れない。
【００１１】
【特許文献１】実用新案登録第２５５７９４１号公報
【特許文献２】実開昭６３−１３００５６号公報
【特許文献３】特開２００４−１７８４号公報
【特許文献４】特開２００３−２２１０７４号公報
【特許文献５】特開平１１−４７１９１号公報
【特許文献６】特開２０００−２３７２３５号公報
【特許文献７】特開２００２−３１５７７９号公報
【発明の開示】
【発明が解決しようとする課題】
【００１２】
本発明は上記従来技術の問題点に鑑みてなされたものであって、本願発明の目的とするところは、手指が薬液で汚れることがなく、医療従事者が任意の位置にて持つことが容易にできる使い勝手のよい綿棒包装体を、安価に提供することにある。
【課題を解決するための手段】
【００１３】
これらの目的を達成するために、本願第１の発明では、軸の一端に液体が含浸された綿球部を備えた綿棒が、周囲がシールされた袋体に収納された綿棒包装体であって、前記綿球部よりも綿球部と反対側軸端側にある綿球部近傍位置において、軸の両際から袋体の両側長手方向シール部に至る綿棒の引き抜きにより剥離される弱ヒートシール部を備えることとしている。
【００１４】
また、本願第２の発明では、袋体の両側長手方向シール部において、前記綿球部の当該綿球部と反対側軸端側近傍に対応する位置よりも前記綿球部と反対側軸端側に、少なくとも一の開封用の対をなす切込を備えるとともに、当該袋体の切込位置よりも前記綿球部側において、軸の両際から前記袋体の両側長手方向シール部に至る綿棒の引き抜きにより剥離される弱ヒートシール部を備えることとしている。
【００１５】
そして、本願第３の発明では、袋体の両側長手方向シール部全長に開封用の対をなす切込を連続的に備えるとともに、綿球部よりも当該綿球部と反対側軸端側にある綿球部近傍位置において、軸の両際から前記袋体の両側長手方向シール部に至る綿棒の引き抜きにより剥離される弱ヒートシール部を備えることとしている。
【００１６】
また、本願第４の発明では、前記袋体の両側長手方向シール部において、少なくとも前記綿球部よりも綿球部と反対側軸端側にある綿球部近傍に対応する位置と、前記綿球部と反対側軸端近傍に対応する位置との間に、開封用の対をなす切込を連続的に備えることとしている。
【００１７】
また、本願第５の発明では、袋体の両側長手方向シール部全長に開封用の対をなす切込を連続的に備えることとしている。
【００１８】
そして、本願第４、第５の発明においては、さらに、前記袋体の綿球部のない軸端側短手方向シール部に、少なくとも１以上の開封用の切込を備えることとしている。
【発明の効果】
【００１９】
本願第１の発明である綿棒包装体によれば、綿球部と反対側の軸端（すなわち、綿球部を備えない軸端）側にある綿球部近傍位置において、軸の両際から袋体の両側長手方向シール部に至る綿棒の引き抜きにより剥離される弱ヒートシール部が備えられている。この綿棒包装体では、当該弱ヒートシール部がいわば堰の役割を果たし、綿球部から滲み出た液体が綿球部と反対側に流れるのを防ぐ。したがって、綿球部の極近傍だけが薬液で濡れるだけであって、この弱ヒートシール部よりも軸端側にある位置で開封すればどの位置で開封しても薬液に触れることなく綿棒を取り出すことができる。なお、この弱ヒートシール部は、周囲のヒートシールと同様な方法で行えるので、コストの増加にもつながらず、従来どおり包装体を安価に提供できる。
【００２０】
本願第２の発明である綿棒包装体によれば、袋体の両側長手方向シール部において、前記綿球部の当該綿球部と反対側軸端側近傍に対応する位置よりも前記綿球部と反対側軸端側に、少なくとも一の開封用の対をなす切込を備え、なおかつ、当該袋体の切込位置よりも前記綿球部側において、軸の両際から前記袋体の両側長手方向シール部に至る綿棒の引き抜きにより剥離される弱ヒートシール部を備えている。したがって、本願第１の発明と同様に、軸の液濡れが少なくなるのはもちろんのこと、開封用の切込が設けられているので、従来の包装体と同様に安価な包装材質を利用でき、製造コストの増加が抑えられる。また、弱ヒートシール部が綿球部の移動を制約するので、切込位置と綿球部と反対側軸端位置との関係が一定に保たれる。その結果、切込位置が適切に位置するように開封時に綿棒を動かすことなく、開封できる。
【００２１】
本願第３の発明である綿棒包装体では、袋体の両側長手方向シール部全長に開封用の対をなす切込を連続的に備えるとともに、綿球部よりも当該綿球部と反対側の軸端側にある綿球部近傍位置において、軸の両際から前記袋体の両側長手方向シール部に至る綿棒の引き抜きにより剥離される弱ヒートシール部を備えている。したがって、軸の薬液濡れを少なくできるのはもちろんのこと、連続的に備えられた切込からほぼ所望する任意の位置で開封が行えるので、利便性がさらに向上する。綿棒包装体の製造においても、軸の長短に関係なく同じ包装資材を用いることができるのはもちろんのこと、軸の長短に応じた切込位置の調整が不要となって、製造上のメリットも大いに発揮される。
【００２２】
本願第４の発明である綿棒包装体は、袋体の両側長手方向シール部において、少なくとも前記綿球部よりも綿球部と反対側軸端側にある綿球部近傍に対応する位置と、前記綿球部と反対側軸端近傍に対応する位置との間に、開封用の対をなす切込を連続的に備えている。したがって、綿棒使用者は前記間にある任意の切込位置で開封することができる。このために、軸を短くして持ちたいときには、綿球部に近い位置にある切込において長手方向シール部の両側からそれぞれ開封して綿球部を覆っていた袋体部分を取り除き、軸を覆う残る袋体上から軸を持つようにすると、薬液に触れることなく綿球部に近い位置で綿棒を持つことができる。また、綿球部を備えない軸端近傍にも切込があるので、綿球部に近い位置だけでなく、綿球部のない軸端位置にて開封して、綿棒の軸端を持ってそのまま取り出すこともできる。
【００２３】
本願第５の発明である綿棒包装体は、袋体の両側長手方向シール部全長に対をなす開封用の切込を連続的に備えているので、本願第４の発明と同様に、薬液で濡れた軸に触れず綿球部に近い位置で袋体上から綿棒を持つことができる。そして、運搬、保存中に綿棒が袋体内で移動しても、綿球部近傍や綿球部のない軸端位置近傍には必ず切込があるので、切込位置が適切に位置するように開封時に綿棒を動かすことなく開封できる。また、綿棒包装体の製造にあたっても、軸の長短に関係なく同じ包装資材を用いることができるだけでなく、軸の長短に応じた切込位置の調整が不要となり、製造上のメリットも大いに発揮される。
【００２４】
そして、本願第４の発明や本願第５の発明においては、袋体の綿球部のない軸端側短手方向シール部に、少なくとも１以上の開封用の切込を設けることもできる。この綿棒包装体ではさらに多くの使用者の要求に沿った利用方法が提供される。
【００２５】
このように、本願発明はいずれも、包装コストを大きく上昇させることなく、使い勝手のよい綿棒包装体を提供できる。また、弱ヒートシール部を設けた包装体では、軸が薬液等の液体で濡れにくいので、軸を持つ手が薬液で汚れることもない。特に、ポピドンヨードなど有色の薬液を含浸した場合に有効な手段となる。
【発明を実施するための最良の形態】
【００２６】
以下、各図に基づいて本発明について詳細に説明する。図１は本発明の一実施形態である綿棒包装体１の概略平面図である。図１に示す綿棒包装体１は、軸１２の一端に液体が含浸された綿球部１１を備えた綿棒１０と、その周囲をヒートシールにより綿棒１０を密封した袋体２０を備えている。袋体２０は、透明もしくは半透明、不透明いずれのものでもよいが、袋体２０の材質には薬液不透性好ましくは水分の透過性が低い、さらに望ましくは水分透過性のほとんどないフィルムが選択される。そして、この素材はヒートシール可能な素材、例えばアルミニウムフィルムにポリエステルフィルムが貼り合わせられたラミネート体や、ポリオレフィン、ポリアミドなどのプラスチック製のフィルムなど従来から使用されているようなヒートシールにより密封が可能な素材が選択される。このような包装体１に用いられるラミネート体やフィルムとして、例えば特開平１１−１５５９０３号公報に開示されたものや実用新案登録第２５５７９１４号公報に開示されたものが例示される。
【００２７】
綿棒１０はその寸法、形状等に制約はなく、軸１２の長さや綿球部１１の大きさ、その材質も問われない。しかしながら、本願発明いずれの場合においても、軸１２の長さに関しては、家庭で使用される、例えば軸の両端に綿球部を備えた綿棒（図示しない）のように短い軸を用いた綿棒よりも、軸１２の長いもの、好ましくは８ｃｍ以上、望ましくは１２〜１３ｃｍ以上の長さの綿棒１０が好適である。軸が短かい綿棒は使い勝手が悪くなく、長軸の綿棒に比べると軸を持つ位置を変えて使い勝手をよくしたいということが少ないからである。また、軸の材質としても従来から用いられるものとして、例えば、木製や紙製の軸、プラスチック製の軸などが挙げられる。
【００２８】
綿球部１１に含浸させる液体も限定されるものではない。例えば、消毒用エタノールやイソプロピルアルコール（これらのアルコール類は着色、非着色いずれでもよい）、さらにはこれらのアルコール類に殺菌剤を含ませたもの、ポピドンヨード液などの各種薬液が挙げられる。もちろん、薬剤が含まれていない水だけを含浸させたものでもよい。
【００２９】
袋体２０は、少なくともその周囲が一定の幅でヒートシールされ、袋体２０の両側長手方向シール部２１には、複数の切込２２が連続的に設けられている。ここで言う「連続的に」とは、例えば綿球部１１の軸端側近傍位置（図１の一点破線イの位置）と、綿球部１１と反対側軸端（綿球部１１のない軸端）近傍位置（図１の一点破線ロの位置）との間に切込２２が２つ３つとあるのではなく（この場合は離散的であり、その間隔は通常２〜３ｃｍあるいはそれ以上となる。例えば図６参照。）、それよりも多数の切込２２を設け、ほぼ任意の位置で開封できると言える程度の間隔、具体的には概ね１０ｍｍ程度かそれよりも小さな間隔を意味する。そして、切込２２は通常ではほぼ等間隔とされるが、必ずしも等間隔でなく、疎になったり密になっても差し支えない。
【００３０】
切込２２は、図１に示すように、少なくとも綿球部１１を備えない軸端近傍位置（図１に示す一点破線イの位置）と綿球部１１の軸端側近傍位置（図１に示す一点波線ロの位置）との間に設けられる。前者の位置（一点破線イの位置）は、袋体２０内の軸１２にかかる位置、軸１２から外れる位置のいずれでもよいが、開封後には軸端をすぐに持てるように、軸端が開封位置からややはみ出るような位置とするのが好ましい。後者の位置は、開封箇所から綿棒１を袋体２０の中から引き出さずに綿球部１１を残る袋体２０から露出させることができる位置である。
【００３１】
切込２２の形状は、どのような形状のものでもよく、例えば図示するような三角形状のものや単純な線状のようなもの（図示せず）であってもよい。また、切込２２の間隔は連続的なものであれば小さければ小さい方が望ましく、好ましくは５ｍｍ程度、望ましくは２〜３ｍｍ程度である。
【００３２】
この綿棒包装体１においては、例えば、図１に示す一点破線イの位置にある切込２２から開封すれば、図２（ａ）に示すように綿球部１１と反対側の軸端をつまんで綿棒１０を取り出すことができる。また、軸１２を短くして綿棒１を取り扱いたい場合、例えば軸１２のほぼ真ん中あたりを持ちたい場合には、長手方向シール部２１のほぼ中央にある両側の切込２２から開封して袋体２０の綿球部側半分を取り除き、同図（ｂ）に示すように軸側に残った袋体２の上から軸１１を持って綿棒１０を使うことができる。そして、より綿球部１１に近いところを持ちたい場合には、綿球部１１に近い位置の切込２２、例えば、図１に示す一点破線ロの位置にある切込２２から開封し、図２（ｂ）に示したのと同じようにして使用することができる。
【００３３】
図３に示す包装体１は、開封用の切込２２が長手方向シール部２１のほぼ全長にわたって連続的に設けられたものである。したがって、軸１２の長さがいかなるものであろうと、運搬、保存時に綿棒１０がどのように移動しようと、綿球部１１近傍と綿球部１１と反対側軸端近傍との間には必ず切込２２が位置することになる。したがって、使用者は適当な位置で包装体１をつかんで、そのまま、所望する位置にある切込２２から袋体２０を開封することができる。言い換えるならば、軸１２の長さに合わせて切込２２位置を考慮することが不要となり、至極簡単に包装体１を設計、製造できる。
【００３４】
また、この包装体１においては、当該袋体２０の綿球部１１のない軸端側短手方向シール部２４にも、複数の切込２２が設けられている。当該包装体１によれば、図１に示す包装体１における使い方ができるのみならず、軸方向にも開封することができ、よりユーザーフレンドリーなものになる。
【００３５】
図４に示す綿棒包装体１では、綿球部１１と反対側軸端近傍位置（図１に示す一点破線イの位置にほぼ対応する位置）に開封用の切込２２を備えるとともに、当該位置よりも綿球部１１側として綿球部１１近傍位置（図１に示す一点破線ロの位置にほぼ対応する位置）に弱ヒートシール部２３を備えている。この弱ヒートシール部２３は、綿球部１１から滲み出た液体が軸１２側に流れるのを防ぐ。弱ヒートシール部２３は、包装材が綿棒１０の軸１２に完全に密着するようにするのが好ましいが、必ずしも密着する必要はなく、軸１２の両側において軸１２の際から長手方向シール部２１にまで到達していれば、図４に示すように軸１２と袋体２０との間にごくわずかな隙間があっても差し支えない。袋体１１の上からのヒートシールによって、軸１２の上下（面）は袋体１１とほぼ密着し、軸１２の両側に出来る程度の隙間であれば、綿球部１１から流れ出た液が軸を濡らすのを実質的になくすことができるからである。つまり、平面状の袋体２０に綿棒１０を入れると綿球１１近傍では袋体２０が膨れ上がるが、このような状態で綿球部１１の近傍において軸１２の両際から長手方向シール部２１に至るヒートシールを行えば、袋体２０が軸１２を回り込むようになり、軸１２の回りに袋体２０がほぼ密着するようになる。この結果、軸１２の回りには隙間がほとんどできず、液が軸端方向に流れ出るのが防がれる。したがって、弱ヒートシール部２３の位置は、できる限り綿球部１１に近づいた位置が好ましいが、綿球部１１に近くなりすぎるとヒートシールした際には軸１２の両側の隙間が大きくなるので、適宜綿球部１１との位置関係を調整する必要がある。また、このようなヒートシールが可能なように、綿棒１０、特に綿球部１１の大きさに応じて袋体２０の大きさ（特に短手方向長さ）を選択する。なお、この包装体１では、綿棒１０全体が密封されているので、特許文献５や６に記載されたように軸と袋体との間から液漏れを完全に防ぐような技術は要求されず、上記したように弱ヒートシール部２３と軸１２との間にごくわずかな隙間があっても、綿球部１１から出た液による軸濡れを実質的に防ぐことができればよい。
【００３６】
この弱ヒートシール部２３の強度は、袋体２０の密封時のそれと比べると緩やかなものであって、図４（ｂ）に示すように、切欠２２から袋体２０を開封して綿棒１０を取り出す際に、綿球部１１によって弱ヒートシール部２３が剥離（もしくは破壊）される程度に調整される。ヒートシールが強いと、綿棒１０の取り出し時に綿球部１１が弱ヒートシール部２３を剥離することができず、含浸した液がほとんど綿球部１１から絞り出されたり、綿球部１１が軸１２から外れたりする恐れがあるからである。言い換えるならば、綿球部１１を引き出すことが出来る程度の強さにヒートシールされる。このような弱ヒートシール部２３は、ヒートシール時の温度、時間、圧力を調整して形成される。また、例えばイージーピール性の樹脂層を用いて構成することもできる。
【００３７】
この包装体１では、このような弱ヒートシール部２３が備えられているので、綿球部１１から漏出した液は弱ヒートシール部２３によって堰き止められ、軸１２が綿球部１１から漏れ出た液によって濡れなくなる。したがって、図４（ｂ）に示すように軸端近傍位置で開封して綿棒１０を取り出しても、軸１２が液体で濡れていないので、手が汚れることがない。また、軸１２が液体で濡れていないので、手指で持つ位置を自由に変えても、不快感を感じることもない。
【００３８】
このような弱ヒートシール部２３を設けた包装体１では、弱ヒートシール部２３より軸端側の位置であれば任意の場所で開封しても問題はなく、任意の位置に適当な個数の切込２２を設けることができる。したがって、例えば、図５（ａ）に示したように、長手方向シール部２１のほぼ全長にわたって切込２２を連続的に設けたり、図６（ａ）に示したように２〜数カ所の切込２２、例えば、弱ヒートシール部２３近傍と軸１２の中央付近、軸１２の軸端近傍にと離散的に設けたりすることができる。また、弱ヒートシール部２３よりも軸端側で開封するだけでなく（図４（ｂ）参照）、図５（ｂ）に示すように、弱ヒートシール部２３よりも綿球部１１側の切込位置から開封して、綿球部１１側の袋体２０を取り除いて用いることもできる。そして、図６（ｂ）に示すように、弱ヒートシール部２３よりも綿球部１１と反対側位置の切込位置から開封し、弱ヒートシール部２３が施された袋体２０部分を切り取って用いることもできる。
【００３９】
なお、袋体２０として、切込２２を設けることなく任意の位置で開封することが可能な袋体２０（例えばイージーカット用の素材を用いたもの）も種々公知であって、このような袋体２０を用いて、綿球部１１近傍位置に弱ヒートシール部２３を設けても差し支えないのは言うまでもない。この場合には、長手方向シール部２１や短手方向シール部２４に開封用の切込２２は不要である。
【図面の簡単な説明】
【００４０】
【図１】本発明の一実施形態である綿棒包装体の概略平面図である。
【図２】（ａ）（ｂ）はそれぞれ同上の綿棒包装体の使用方法の一例を示す説明図である。
【図３】本発明の別な実施形態である綿棒包装体の平面図である。
【図４】本発明のさらに別な実施形態である綿棒包装体を示す図であって、同図（ａ）は当該綿棒包装体の平面図、同図（ｂ）はその使用方法を示す説明図である。
【図５】本発明のさらに別な実施形態である綿棒包装体を示す図であって、同図（ａ）は当該綿棒包装体の平面図、同図（ｂ）はその使用方法を示す説明図である。
【図６】本発明のさらに別な実施形態である綿棒包装体を示す図であって、同図（ａ）は当該綿棒包装体の平面図、同図（ｂ）はその使用方法を示す説明図である。
【符号の説明】
【００４１】
１  綿棒包装体
１０  綿棒
１１  綿球部
１２  軸
２０  袋体
２１  長手方向のシール部
２２  切込
２３  弱ヒートシール部
２４  短手方向のシール部
【図１】
2006115976.tif 000003
【図２】
2006115976.tif 000004
【図３】
2006115976.tif 000005
【図４】
2006115976.tif 000006
【図５】
2006115976.tif 000007
【図６】
2006115976.tif 000008